(57)【要約】【課題】単純な構造で、用紙束からの用紙の引き剥がしを容易に行うことのできる用紙供給装置および用紙束プリンタを提供する。【解決手段】一端部の粘着部分で剥離可能に粘着した用紙を多数枚積層して成る用紙束をセットする載置ステージ３０と、セットした用紙束Ｈの最上位の用紙から１枚ずつ引き剥がして供給する用紙供給手段２２と、載置ステージ３０上に設けられ、用紙供給手段２２による引き剥がし力に抗して用紙束Ｈを貼着保持する粘着部材３５と、を備えた。【選択図】図３
2008024442.tif 000002
【特許請求の範囲】
【請求項１】
一端部の粘着部分で剥離可能に粘着した用紙を多数枚積層して成る用紙束をセットする載置ステージと、
セットした前記用紙束の最上位の用紙から１枚ずつ引き剥がして供給する用紙供給手段と、
前記載置ステージ上に設けられ、前記用紙供給手段による引き剥がし力に抗して前記用紙束を貼着保持する粘着部材と、を備えたことを特徴とする用紙供給装置。
【請求項２】
前記粘着部材は、少なくとも前記用紙束の前記粘着部分に対応した位置に配置されると共に、前記載置ステージに固設した粘着シートで構成され、
前記粘着シートの前記用紙束に対する粘着力は、前記用紙束の前記用紙相互間の粘着力に比して大きいことを特徴とする請求項１に記載の用紙供給装置。
【請求項３】
前記粘着部材は、前記用紙束を、剥離可能に貼着していることを特徴とする請求項１または２に記載の用紙供給装置。
【請求項４】
前記粘着部材は、前記載置ステージに対し、着脱自在に設けられていることを特徴とする請求項１ないし３のいずれかに記載の用紙供給装置。
【請求項５】
請求項１ないし４のいずれかに記載の用紙供給装置と、
前記用紙供給手段により供給された用紙に印刷を行う印刷手段と、を備えたことを特徴とする用紙束プリンタ。
【発明の詳細な説明】
【技術分野】
【０００１】
本発明は、付箋紙束等の用紙束から一枚の用紙を引き剥がして供給する用紙供給装置および用紙束プリンタに関するものである。
【背景技術】
【０００２】
従来、この種の用紙供給装置を備えた用紙束プリンタとして、載置ステージ上にセットした付箋紙束から付箋紙を１枚ずつ引き剥がして、これに印刷を行うものが知られている（特許文献１参照）。この用紙供給装置では、付箋紙束からの付箋紙の引き剥がし時において、載置ステージから付箋紙束が浮き上がらないよう、付箋紙束の長手方向の両端部、すなわち自由端部および固定端部（粘着部）が、一対の爪片によって押さえ込まれている。
【特許文献１】特開２００３−８１４５５号公報
【発明の開示】
【発明が解決しようとする課題】
【０００３】
しかしながら、上記の構成では、付箋紙の引き剥がしに際し、一対の爪片の一方が、付箋紙の粘着部分を押さえ込んでいるため、粘着部分において、付箋紙は十分な剥離角度を得ることができず、付箋紙束から引き剥がしにくい問題がある。このとき、付箋紙の引き剥がし力を大きくして引き剥がそうとすると、付箋紙は瞬間的に勢いよく引き剥がされるため、付箋紙を安定して送ることができない。このため、付箋紙を引き剥がしながら印刷を開始すると、引き剥がされた瞬間に印刷位置がずれて、印刷不良となる虞がある。
【０００４】
本発明は、単純な構造で、用紙束からの用紙の引き剥がしを容易に行うことのできる用紙供給装置および用紙束プリンタを提供することを課題とする。
【課題を解決するための手段】
【０００５】
本発明の用紙供給装置は、一端部の粘着部分で剥離可能に粘着した用紙を多数枚積層して成る用紙束をセットする載置ステージと、セットした用紙束の最上位の用紙から１枚ずつ引き剥がして供給する用紙供給手段と、載置ステージ上に設けられ、用紙供給手段による引き剥がし力に抗して用紙束を貼着保持する粘着部材と、を備えたことを特徴とする。
【０００６】
この場合、粘着部材は、少なくとも用紙束の粘着部分に対応した位置に配置されると共に、載置ステージに固設した粘着シートで構成され、粘着シートの用紙束に対する粘着力は、用紙束の用紙相互間の粘着力に比して大きいことが、好ましい。
【０００７】
この構成によれば、載置ステージ上に設けられた粘着部材に、用紙束を貼着して載置することで、引き剥がしによる用紙束の浮き上がりを防止することができる。これにより、爪片で粘着部分を押さえ込む必要が無いため、用紙束から用紙を容易に引き剥がすことができる。なお、粘着部材を用紙束の粘着部分に対応した位置に設けることで、用紙束の用紙を最後の１枚まで供給することができる。また、用紙束としては、付箋紙束やメモパッド等を用いることが可能である。
【０００８】
この場合、粘着部材は、用紙束を、剥離可能に貼着していることが、好ましい。
【０００９】
この構成によれば、用紙束を粘着部材から簡単に剥離することができるため、用紙束の交換を容易に行うことができる。
【００１０】
この場合、粘着部材は、載置ステージに対し、着脱自在に設けられていることが、好ましい。
【００１１】
この構成によれば、粘着部材の粘着力が弱くなった場合等において、粘着部材を着脱することにより、粘着部材の交換を簡単に行うことができる。なお、粘着部材は、載置ステージに対し、剥離可能に貼着されることが、好ましく、この場合、載置ステージに粘着部材を貼着するだけで、粘着部材を載置ステージに位置決めした状態で簡単に取り付けることができる。
【００１２】
本発明の用紙束プリンタは、上記の用紙供給装置と、用紙供給手段により供給された用紙に印刷を行う印刷手段と、を備えたことを特徴とする。
【００１３】
この構成によれば、用紙束から用紙を容易に引き剥がすことができるため、用紙を安定して送ることができる。これにより、用紙の引き剥がし中に、用紙へ印刷する場合も、安定して印刷を行うことができるため、用紙の引き剥がしに伴う印刷不良を無くすことができる。
【発明を実施するための最良の形態】
【００１４】
以下、添付の図面を参照して、本実施形態に係る用紙供給装置を付箋紙プリンタ（用紙束プリンタ）に組み込んだ場合について説明する。この付箋紙プリンタは、付箋紙束プリントシステムを構成する装置の１つであり、パソコンで編集した印刷データに基づいて、セットした付箋紙束（用紙束）から最上位の付箋紙を捲り上げ、捲り上げた付箋紙を引き剥がしながら印刷を行って、装置外部に印刷済みの付箋紙を排出するものである。先ず、付箋紙プリントシステムについて説明する。
【００１５】
図１に示すように、付箋紙プリントシステム１は、付箋紙束Ｈがセットされる付箋紙プリンタ２と、付箋紙プリンタ２にＵＳＢ４等で接続され、付箋紙Ｈ１に印刷するための印刷データを作成・編集すると共に、付箋紙プリンタ２の各種駆動を制御するパソコン３とから構成されている。
【００１６】
パソコン３は、パソコン本体５と、パソコン本体５に接続され、データを入力するキーボード６およびマウス７と、入力結果等を表示するディスプレイ８とを有しており、パソコン本体５には、付箋紙プリンタ２に関するアプリケーションソフト（プログラム）やデバイスドライバ等のデータを記憶したＣＤ−ＲＯＭ９が着脱自在にセットされている。そして、キーボード６等から各種検出信号、各種指令、各種データ等が入力されると、パソコン３は、ＣＤ−ＲＯＭ９内のプログラムに従って、各種データを処理し、付箋紙プリンタ２を制御するようになっている。
【００１７】
なお、当然ではあるが、付箋紙プリンタ２に印刷データの作成・編集機能や各部の制御機能を設け、付箋紙プリンタ２を単体として用いて、付箋紙Ｈ１に対する印刷を行うようにしてもよい。
【００１８】
図２に示すように、付箋紙プリンタ２は、装置ケース１５により外殻が形成され、装置ケース１５の内部には、付箋紙束Ｈがセットされている。そして、付箋紙プリンタ２は、セットした付箋紙束Ｈから１枚ずつ引き剥がした付箋紙Ｈ１に対し、パソコン３で作成した所望のキャラクタ列を印刷し、これを装置ケース１５に形成した排紙部１３から送り出すようにしている。
【００１９】
装置ケース１５は、全体として小型に形成されており、下面には付箋紙束Ｈをケース内部に下方から導入するための付箋紙導入開口１７が形成されている。排紙部１３は、前面中央に設けられると共に印刷済み付箋紙Ｈ１をケース外部に送り出すための水平スリット状の排紙口１６と、排紙口１６廻りに設けられ、引き剥がされた印刷済み付箋紙Ｈ１が受け渡される受け部１４と、が形成されている。また、装置ケース１５の上面には、インクリボンＲを収容したリボンカートリッジＣを装着すると共に、メンテナンスのための開閉蓋１８が取り付けられている。
【００２０】
図３に示すように、付箋紙束Ｈは、裏面の基端部を部分糊付けした複数の付箋紙Ｈ１から構成されている。すなわち、付箋紙束Ｈは、同一形状（長方形）且つ同一サイズの複数の付箋紙Ｈ１を、それぞれ裏面の基端部を部分糊付けして積層したものである。付箋紙Ｈ１は、付箋紙束Ｈから１枚ずつ剥離されるように構成されていると共に、剥離後に、この基端部の糊付け部（接着剤）を介して、手帳等の被貼着物に再貼着可能に構成されている。
【００２１】
付箋紙プリンタ２は、付箋紙束Ｈをセットする付箋紙ホルダ２０と、セットした付箋紙束Ｈの最上位の付箋紙Ｈ１を捲り上げ、後述する挟持位置５５に臨ませると共に装置外部に排紙する付箋紙供給手段（用紙供給手段）２２と、挟持位置５５に臨んだ付箋紙Ｈ１に印刷を行う印刷手段２３と、を備え、これらは上記した装置ケース１５内に収容されている。
【００２２】
付箋紙ホルダ２０は、所定サイズの付箋紙束Ｈを保持すると共に、上面を開放したボックス状に形成されており、付箋紙束Ｈを水平に載置する方形の載置ステージ３０と、載置ステージ３０を上下方向にスライド自在に案内する四周枠状の導入ガイド３１と、載置ステージ３０上に貼着された粘着シート（粘着部材）３５と、複数のコイルバネ３２を介して載置ステージ３０を下側から支持すると共に、付箋紙導入開口１７を閉塞する蓋体３３と、から構成されている。また、導入ガイド３１の上端部には、付箋紙束Ｈの自由端部を押さえる位置規制部３４が内向きに突設されている。
【００２３】
載置ステージ３０は、複数のコイルバネ３２により上方に付勢されており、これにセットされた付箋紙束Ｈは、付箋紙Ｈ１が１枚ずつ送り出され目減りしても、上記の位置規制部により、その最上位に位置する付箋紙Ｈ１の高さレベルが一定となっている。また、載置ステージ３０の表面には、上記の粘着シート３５が嵌合する長方形状の嵌合溝４０が没入形成されており、嵌合溝４０は、載置される付箋紙束Ｈの糊付け部４１に対応し、幅方向に延在するように形成されている。すなわち、嵌合溝４０は、載置ステージ３０における付箋紙束Ｈの糊付け部に対応するように、載置ステージ３０を横断して設けられている。
【００２４】
図４に示すように、粘着シート３５は、嵌合溝と同サイズの長方形状に形成されると共に表裏両面が粘着面となっており、上記の嵌合溝４０に嵌合させて、載置ステージ３０上に貼着される。粘着シート３５表面の付箋紙束Ｈに対する粘着力は、付箋紙束Ｈの付箋紙相互間の粘着力に比して大きく、また、粘着シート３５裏面の載置ステージ３０に対する粘着力に比して小さく構成されている。これにより、載置ステージに載置した付箋紙束の最上位から付箋紙を引き剥がすと、付箋紙相互間の粘着力が一番小さいため、適切に引き剥がすことができる。
【００２５】
また、粘着シート３５は、付箋紙束Ｈおよび載置ステージ３０に対して、剥離可能に構成されており、これにより、付箋紙束Ｈの交換や入れ替え等を容易に行なうことができると共に、粘着シート３５の交換も容易に行うことができる。しかも、粘着シート３５を付箋紙束Ｈの糊付け部４１に対応した位置に設けることで、付箋紙束Ｈの付箋紙Ｈ１を最後の１枚まで供給することができる。なお、粘着シート３５を、両面粘着テープにより嵌合溝４０に貼着するようにしてもよい。また、粘着シート３５を、スナップイン等により、嵌合溝４０に機械的に且つ着脱自在に装着するようにしてもよい。
【００２６】
付箋紙ホルダ２０は、装置ケース１５に対して蓋体３３がスナップイン形式で掛け止めされ、装置ケース１５に対し着脱自在となっている。すなわち、付箋紙ホルダ２０に付箋紙束Ｈをセットするときには、付箋紙ホルダ２０を装置ケース１５内部から取り外し、付箋紙ホルダ２０の載置ステージ３０上に、付箋紙束Ｈを位置合わせした状態で載置して、付箋紙束Ｈを粘着シート３５に粘着する。この後、再び付箋紙ホルダ２０を装置ケース１５内部に取り付ける。この状態で、蓋体３３の下面と装置ケース１５の下面とが面一となって、付箋紙導入開口１７が閉塞される。なお、付箋紙ホルダ２０をカセット式で装置ケース１５に装着する構成としてもよい。すなわち、付箋紙ホルダ２０を、上面を開放した箱状の付箋紙束ケースと、複数のコイルバネを介して付箋紙束ケースに収容したセットステージとで構成し、付箋紙束Ｈのセットを行う際には、付箋紙ホルダ２０ごと装置ケース１５内部から取り出して、付箋紙をセットするようにする。かかる場合には、付箋紙ホルダ２０の装着時に付箋紙束Ｈが支えないように、載置ステージ３０をコイルバネ３２に抗してロックする構成とし、装着完了時にこのロックが外れる構成とすることが好ましい。
【００２７】
付箋紙供給手段２２は、ピックアップ位置４８に臨んだ付箋紙束Ｈの最上位の付箋紙Ｈ１を捲り上げるよう構成されており、最上位の付箋紙Ｈ１に転接してこれを捲り上げると共に後述するサーマルヘッド５０との間に捲り上げた付箋紙Ｈ１を挟持して回転送りする送りローラ５１と、送りローラ５１の駆動源となる駆動モータ５２と、駆動モータ５２の駆動力を送りローラ５１に伝達する減速ギヤ列５３と、送りローラ５１を付箋紙Ｈ１を捲り上げるピックアップ位置４８と付箋紙Ｈ１をサーマルヘッド５０と挟持する挟持位置５５との間で移動させるローラ移動手段５４と、を備えている。
【００２８】
送りローラ５１は、捲り上げた付箋紙Ｈ１の自由端側の裏面に転接すると共に、挟持位置５５において、これを引き剥がしながら回転送りするものであり、付箋紙Ｈ１に直接転接するローラ本体５８と、ローラ本体５８の回転軸としてのローラ駆動軸５９とを有している。ローラ駆動軸５９は、両端部をローラ移動手段５４に回転自在に両持ちで保持され、減速ギヤ列５３を介して伝達される駆動モータ５２の動力により回転する。また、送りローラ５１は、付箋紙Ｈ１に転接してこれを捲り上げる機能と、後述するサーマルヘッド５０と協働するプラテンローラの機能とを併せ持つようになっている。
【００２９】
ローラ移動手段５４は、先端部でローラ駆動軸５９を回転自在に保持すると共に、基端部を中心に回動（揺動）自在に構成された一対の回動アーム６０を有しており、例えば、一方の回動アーム６０をキャリアとし、且つ上記の減速ギヤ列５３を構成する一部のギヤを利用した遊星歯車機構と、そのギヤの回転力を回動アーム６０の回動動作に変換するカム機構とにより構成されている。すなわち、遊星歯車機構による円運動が、カム機構により回動アーム６０の往復回動運動に変換されるようになっている。この回動アーム６０の往復回動運動により、送りローラ５１が、回転しながらピックアップ位置４８と挟持位置５５との間で移動する。
【００３０】
印刷手段２３は、排紙口１６の近傍に配設されると共に送りローラ５１と同幅に形成されたサーマルヘッド５０と、装着されたリボンカートリッジＣのインクリボンＲを巻き取るリボン巻取り機構（図示省略）とを有している。リボンカートリッジＣは、インクリボンＲを繰り出し自在に巻回したリボン繰出しリール６１と、インクリボンＲを巻き取るリボン巻取りリール６２と、これらを回転自在に収容するカートリッジケース（図示省略）とから構成されている。また、リボン巻取り機構は、送りローラ５１が挟持位置５５へ移動すると、上記の減速ギヤ列５３と連結して駆動モータ５２からの動力が入力するようになっており、付箋紙Ｈ１の送りと併せて、インクリボンＲの巻取り（送り）を開始するようになっている。
【００３１】
このようにして構成された印刷手段２３は、パソコン３からの制御信号により、サーマルヘッド５０および駆動モータ５２が制御されながら、付箋紙Ｈ１に対する印刷を行う。すなわち、挟持位置５５に移動した送りローラ５１とサーマルヘッド５０との間で、付箋紙Ｈ１とインクリボンＲとを挟み込み、これらを併走させて送りつつ、サーマルヘッド５０の発熱駆動により付箋紙Ｈ１の表面に印刷を行う。
【００３２】
ここで、図４を参照して、付箋紙Ｈ１の捲り上げから排紙に至る一連の動作について説明する。印刷待機状態において、送りローラ５１は、ピックアップ位置４８にあり、付箋紙ホルダ２０にセットされた付箋紙束Ｈの最上位の付箋紙Ｈ１の表面に転接している。
【００３３】
ユーザがパソコン３により印刷開始を指示すると、送りローラ５１は、回転して付箋紙Ｈ１の捲り上げ動作を開始する。すなわち、送りローラ５１が最上位の付箋紙Ｈ１に対し、表面の自由端側に転接することで、その長手方向の中間部が次第に上方へと湾曲するように撓んでいく。
【００３４】
捲り上がっていく付箋紙Ｈ１の先端が送りローラ５１の下側を通過した直後に、送りローラ５１が回転しながら移動して付箋紙束Ｈから離間すると、付箋紙Ｈ１は、送りローラ５１の回転力により、送りローラ５１の上側に撥ね上げられ、自由端部が送りローラ５１に乗り上げる。
【００３５】
付箋紙Ｈ１を載せた送りローラ５１は、続いて、回転（自転）しながら挟持位置５５に移動（公転）する。送りローラ５１が挟持位置５５に達してサーマルヘッド５０との間に付箋紙Ｈ１を挟持すると、これに併せてインクリボンＲの送りが開始される。
【００３６】
送りローラ５１は、傾動した付箋紙Ｈ１の裏面に転接し、これを付箋紙束Ｈから引き剥がし、自由端側を先にして排紙口１６に向けて回転送りすると同時に、プラテンローラとして機能する。すなわち、粘着シート３５により付箋紙束Ｈの糊付け部を固着した状態で、付箋紙Ｈ１を引き剥がしながら、サーマルヘッド５０と送りローラ５１とが協働して、付箋紙Ｈ１の表面に自由端側から印刷を行う。この付箋紙Ｈ１の引き剥がしにおいて、糊付け部４１の上側には、押え片が無いため、付箋紙Ｈ１は所定の引き剥がし角度をもって引き剥がされる。
【００３７】
そして、付箋紙Ｈ１の糊付け部が送りローラ５１に達したところで、送りローラ５１は、挟持位置５５からピックアップ位置４８に移動し、印刷済み付箋紙Ｈ１は、排紙口１６の受け部１４へ受け渡され、付箋紙プリンタ２は、再び印刷待機状態となる。
【００３８】
以上の構成によれば、載置ステージ３０上に設けられた粘着シート３５に、付箋紙束Ｈを貼着して載置することで、引き剥がしによる付箋紙束Ｈの浮き上がりを防止することができる。また、従来のように爪片により糊付け部４１を押さえ込む必要が無いため、付箋紙束Ｈから付箋紙Ｈ１を容易に引き剥がすことができる。なお、本実施形態では、粘着シート３５を、付箋紙束Ｈの糊付け部４１に対応した位置に貼着したが、載置ステージ３０全面に粘着シート３５を貼着してもよい。また、付箋紙束Ｈに限らず、これに代えて、固定端面を接着したメモパッド等を用いることも可能である。
【図面の簡単な説明】
【００３９】
【図１】本実施形態に係る付箋紙プリントシステムの模式図である。
【図２】本実施形態に係る付箋紙プリンタの外観斜視図である。
【図３】本実施形態に係る付箋紙プリンタの内部模式図である。
【図４】付箋紙ホルダの上面図である。
【符号の説明】
【００４０】
１…付箋紙プリントシステム  ２…付箋紙プリンタ  ３…パソコン  ２０…付箋紙ホルダ  ２２…付箋紙供給手段  ２３…印刷手段  ３０…載置ステージ  ３４…位置規制部  ３５…粘着シート  ４０…嵌合溝  ４１…糊付け部  Ｈ…付箋紙束  Ｈ１…付箋紙
【図１】
2008024442.tif 000003
【図２】
2008024442.tif 000004
【図３】
2008024442.tif 000005
【図４】
2008024442.tif 000006